(57)【特許請求の範囲】
【請求項１】
前方から入射した光を反射させるための反射面を有する反射型表示パネルと、反射型表示パネルの前方に配置された導光板及び光源で構成された前方照明装置とを備えた反射型表示装置において、
外光は、前記反射型表示パネルに対して垂直に入射し、前記反射面に設けられた第１の反射パターンで反射し、
前記前方照明装置の光源より出射された光は、前記導光板で偏向されて前記反射型表示パネルへ斜めに入射し、前記反射面に設けられた第２の反射パターンで反射し、
前記反射面に設けられた前記第１の反射パターンで反射された前記外光と、
前記反射面に設けられた前記第２の反射パターンで前記前方照明装置からの光が前記外光と同一の反射方向へ出射されるようにし、
前記第１の反射パターンの密度は、前記第２の反射パターンの密度よりも大きいことを特徴とする反射型表示装置。
【請求項２】
前記反射面に設けられた前記第１の反射パターンで反射された前記外光の輝度中心と、
前記反射面に設けれらた前記第２の反射パターンで反射された前記前方照明装置からの光の輝度中心が、前記反射型表示パネルの前方の所定位置に集光されるようにしたことを特徴とする、請求項１に記載の反射型表示装置。
【請求項３】
前記第１の反射パターンと前記第２の反射パターンが、ランダムに配置されていることを特徴とする、請求項１又は２に記載の反射型表示装置。
【請求項４】
前記第１の反射パターンは、前記反射型表示パネルに対して垂直に入射した光を広がりを持たせて垂直に反射させる球面形状に形成されており、
前記第２の反射パターンは、前記導光板から前記反射型表示パネルに対して斜めに入射した光を垂直に反射させる傾斜面を有するポスト形状に形成されていることを特徴とする、請求項１〜３に記載の反射型表示装置。
【請求項５】
請求項１〜４に記載した反射型表示装置を製造する方法であって、基板上に紫外線硬化型樹脂を供給し、反射面の反転パターンを有するスタンパと基板との間に該紫外線硬化型樹脂を挟み込んだ状態で該紫外線硬化型樹脂に紫外線を照射して硬化させ、前記スタンパの反転パターンを該紫外線硬化型樹脂に転写させることを特徴とする反射型表示装置の製造方法。
【請求項６】
請求項１〜４に記載した反射型表示装置を製造する方法であって、基板上に供給された樹脂を、未硬化あるいは軟化させた状態で、反射面の反転パターンを有するスタンパと基板との間に挟みこんで押圧し、前記スタンパの反転パターンを該樹脂に転写させることを特徴とする反射型表示装置の製造方法。
【請求項７】
前記反射型表示パネルは、内部に液晶を封止され、液晶の特性を利用して画像を生成するものであることを特徴とする、請求項１〜４に記載の反射型表示装置。
【請求項８】
送信先を設定するためのダイアル部と、請求項１〜４に記載の反射型表示装置を用いた表示部とを備えた携帯電話。
【請求項９】
データないし指令を入力するための入力部と、請求項１〜４に記載の反射型表示装置を用いた表示部とを備えた携帯用情報端末。
【請求項１０】
入出力手段と、請求項１〜４に記載の反射型表示装置を用いた表示部とを備えた携帯用コンピュータ。
【請求項１１】
選局手段と、請求項１〜４に記載の反射型表示装置を用いた表示部とを備えたテレビ。
【発明の詳細な説明】
【０００１】
【発明の属する技術分野】
本発明は、前面から入射した光を反射させると共にその反射光を各画素毎に制御することによって文字等を表示する反射型表示装置及びその製造方法並びにそれを用いた機器に関する。
【０００２】
【従来の技術】
液晶表示装置のような表示装置には、大きく分けて透過型のものと反射型のものとがある。透過型の液晶表示装置は、背面のバックライトによって液晶表示パネルを照明するので、表示画面が明るいが、使用時には常にバックライトを点灯させる必要があるため、電力消費が大きい。そのためバッテリーを用いる携帯電話等の携帯機器では、反射型液晶表示装置が好ましいと考えられている。
【０００３】
反射型液晶表示装置では、液晶層の背面に反射面が設けられており、明るい周囲環境下では液晶表示装置の画面に入射した外光（直射日光や照明光などの周囲からくる光）を反射面で反射させることにより画面を照明するので、電力消費を抑えることができる。このような反射型液晶表示装置は、さらに、半透過型と完全反射型とに分かれる。
【０００４】
半透過型の反射型液晶表示装置は、反射面に多数の微小な窓を開口すると共に反射面の背後にバックライトを配置したものであり、バックライトを点灯すると、微小な窓（透孔）を透過したバックライトの光で画面が照明されるので、暗い場所でも液晶表示装置の表示を認識することができる。しかし、このような半透過型の反射型液晶表示装置では、反射面に多数の窓が開口されているため、反射面における光反射効率が低下し、外光によって使用する際、画面が暗くなるという問題がある。
【０００５】
これに対し、完全反射型の液晶表示装置は、液晶表示パネルの前面に前方照明装置を設け、周囲が暗くて画面を見にくい状況では、前方照明装置により前面から画面を照明できるようにしたものである。よって、半透過型のように反射面に多数の窓を設ける必要がないので、反射面における光反射効率の低下がなく、外光によって画面を照明する場合でも、明るい画面を得ることができ、特に携帯用機器には有望視されている。
【０００６】
図１は従来からの完全反射型液晶表示装置１の構造を表した概略断面図である。この完全反射型液晶表示装置１は、反射型の液晶表示パネル２の前面に前方照明装置３を置いたものである。この液晶表示パネル２は、表面に反射面５を形成された基板４とガラス基板６との間に液晶材料７を挟み込んで封止したものであって、入射光を反射面で反射させて前方へ出射させたり、入射光を吸収して前方へ出射しないようにしたりするための仕組みが各画素毎に設けられている。前方照明装置３は、透明な導光板８の側面に冷陰極管等からなる光源部９を設けたものである。なお、図面において光は矢印によって表している（以下、同様）。
【０００７】
しかして、このような完全反射型液晶表示装置１によれば、周囲が明るい場合には前方照明装置３を消灯させておく。このとき、前方照明装置３を透過して液晶表示パネル２に入射した直射日光や照明光等の外光は、反射面５によって反射された後、完全反射型液晶表示装置１の前面から出射して観察者の目に入る。一方、周囲が暗い場合には、前方照明装置３を点灯させる。このとき、光源部９から出射した光は、導光板８の側面から導光板８内部へ入り、導光板８の前面及び背面で全反射を繰り返しながら導光板８内部を伝播し、その途中で導光板８に設けられた光学パターン１０によって光の進路が曲げられて、導光板８の全反射の臨界角よりも小さな入射角で導光板８の背面に入射した光が導光板８の背面から出て液晶表示パネル２に入射し、反射面５によって反射された後、完全反射型液晶表示装置１の前面から出射して観察者の目に入る。
【０００８】
反射面５には凹凸状の拡散パターンが形成されており、これによって反射光の指向角を広げ、表示画像の見える範囲を広くしている。また、このような完全反射型液晶表示装置１の使用状況を考えると、外光や観察者はともに完全反射型液晶表示装置１にほぼ垂直な方向に位置していることが多いため、反射面の反射特性は外光を正反射に近い方向に拡散させるように設定されている。
【０００９】
また、外光によって画面を見る場合と前方照明装置３を点灯して画面を見る場合とでは同じ方向から見ることができなければならないから、外光を用いた時の前方出射光と前方照明装置３を用いた時の前方出射光とはほぼ平行でなければならない。しかも、従来の完全反射型液晶表示装置１では、外光も前方照明装置３からの照明光も共通の反射特性を持つ反射面（同一のパターン）で前方の観察者側へ反射させているので、前方照明装置３の照明光も外光と同じ方向から反射面ないし液晶表示パネル２に入射させる必要がある。従って、前方照明装置３からの光も完全反射型液晶表示装置１の前面とほぼ垂直な方向へ出射されなければならない。そのため、従来の前方照明装置３では、導光板８の前面にくさび状をした微細な光学パターン１０を設け、光学パターン１０で全反射させることで導光板８内を伝播する光を反射面５にほぼ垂直な方向に変換し、外光の入射方向とほぼ平行な方向に揃えて背面から液晶表示パネル２へ光を出射させている。
【００１０】
【発明が解決しようとする課題】
前方照明装置３を用いた従来の液晶表示装置１では、前方照明装置３と液晶表示パネル２の間に空気層１１が存在しており、図２に示すように、前方照明装置３の背面から出射される光が当該空気層１１と前方照明装置３との界面や当該空気層１１と液晶表示パネル２との界面で反射する。これは液晶表示装置１の表示に寄与しない光であるので、以下においては無効な光と呼ぶことにする。一方、上記のように前方照明装置３の照明光は、液晶表示パネル２に垂直な方向から液晶表示パネル２内に入射しているので、空気層１１と前方照明装置３の界面や空気層１１と液晶表示パネル２の界面で反射した無効な光は、反射面５で反射された表示用の光（表示に有効な光）とほぼ同じ方向へ出射される。このため表示用の光と共に無効な光が観察者の目に入ることになり、画面のコントラストが低下する問題があった。
【００１１】
また、前方照明装置３の前面には光学パターン１０が設けられており、しかも、この光学パターン１０は空気と接していて界面の屈折率差が大きいので、反射面５で反射された後、再び前方照明装置３の内部に入射し、前方照明装置３の前面から出射しようとする光のうち、勾配の急な領域１２（光学パターン１０の境界の段差部分）に入射した光は、図３に示すように、領域１２の大きな領域で全反射したり大きく屈折したりして散乱しやすく、前方照明装置３の透明性が低下していた（すなわち、反射型液晶表示装置の表面に拡散板を設置しているのと同じ状態になる）。
【００１２】
【発明の開示】
本発明の目的は、反射型の表示パネルの前面に前方照明装置を設置した反射型表示装置において、前方照明装置点灯時のコントラストの低下を防止することにある。
【００１３】
本発明の別な目的は、反射型の表示パネルの前面に前方照明装置を設置した反射型表示装置において、前方照明装置による光の拡散を抑え、前方照明装置の透明性を高めることにある。
【００１４】
本発明にかかる反射型表示装置は、前方から入射した光を反射させるための反射面を有する反射型表示パネルと、反射型表示パネルの前方に配置された導光板及び光源で構成された前方照明装置とを備えた反射型表示装置において、外光は、前記反射型表示パネルに対して垂直に入射し、前記反射面に設けられた第１の反射パターンで反射し、前記前方照明装置の光源より出射された光は、前記導光板で偏向されて前記反射型表示パネルへ斜めに入射し、前記反射面に設けられた第２の反射パターンで反射し、前記反射面に設けられた前記第１の反射パターンで反射された前記外光と、前記反射面に設けられた前記第２の反射パターンで前記前方照明装置からの光が前記外光と同一の反射方向へ出射されるようにし、前記第１の反射パターンの密度は、前記第２の反射パターンの密度よりも大きいことを特徴としている。
【００１５】
ここで反射型表示パネルとしては、内部に液晶を封止され、液晶の特性を利用して画像を生成する、いわゆる液晶表示パネルが典型的であるが、これに限るものではない。また、外光とは、前方照明装置の照明光以外の、直射日光や照明光などの周囲からくる光をいう。なお、通常は、表示画面は正面から見ることを想定されているので、外光は反射型表示装置の前面にほぼ垂直な方向から入射し、反射面で反射された外光も前面に垂直な方向へ出射される。したがって、このような場合には、前方照明装置の入射光は、反射型表示パネルの前面に対して斜めに入射することになる。しかし、外光の入射方向はこれに限られるものではなく、前記反射型表示パネルの前面から斜めに入射しても差し支えない。また、前記外光を反射する方向は、入射した外光を反射させるための凹凸パターン（第１の反射パターン）を非対称形状にすることにより、前記前方照明装置からの入射光を反射する方向は、前方照明装置からの入射光を反射させるための凹凸パターン（第２の反射パターン）の傾斜面を調節することにより、それぞれ反射型表示パネルの表面における外光の正反射方向とは異ならせることができ、反射型表示パネルの表面で正反射した光により画像が見えなくなることを防止できる。
【００１６】
本発明にかかる反射型表示装置にあっては、反射面に設けられた第２の反射パターンで反射された前方照明装置からの光と、反射面に設けられた第１の反射パターンで反射された外光とがほぼ同一の反射方向へ出射されるようになっているので、前方照明装置を用いて画面を照らしているときと、前方照明装置を用いることなく外光によって画面を照らしている時とで、画面を見ることができる方向が変化せず、同様な使い勝手を維持することができる。しかも、この反射型表示装置にあっては、前方照明装置から反射型表示パネルへ入射する光は、反射型表示パネルに入射する外光とは異なる方向から反射型表示パネルに入射しているので、前方照明装置から出射された光が前方照明装置や反射型表示パネルの表面や内部で反射されて表示に寄与しない無効な光となっても、その無効な光は表示用の反射光と同じ方向には反射されない。よって、本発明の反射型表示装置によれば、前方照明装置の反射光により画面のコントラストが低下する現象を回避し、画面を見やすくすることができる。また、外光とは異なる方向から入射した前方照明装置の反射面による反射光を、反射面で反射した外光のとほぼ同一の反射方向へ出射させることができる。また、第１の領域は、前記反射型表示パネルの反射面から分離し、光源と導光板からなる前方照明装置の背面に配置することも可能である。
【００２１】
また、本発明のさらに別な実施形態においては、前記反射面上の任意の点で、平均傾斜面に立てた法線が反射面の前方のの特定の領域を向くように形状を変調させることにより、入射した外光および前方照明装置の入射光の反射光輝度中心軸を反射型表示パネル前方の特定の位置に集束させることができ、当該位置で観察できる画像を明るくすることができる。
【００２２】
また、本発明のさらに別な実施形態においては、前記第１の反射パターンと前記第２の反射パターンが、ランダムに配置されていることにより、光の干渉による色つきを防ぐことができる。
【００２３】
また、本発明のさらに別な実施形態においては、前記第１の反射パターンは、前記反射型表示パネルに対して垂直に入射した光を広がりを持たせて垂直に反射させる球面形状に形成されており、前記第２の反射パターンは、前記導光板から前記反射型表示パネルに対して斜めに入射した光を垂直に反射させる傾斜面を有するポスト形状に形成されており、出射光は広がりを持っているので反射型液晶表示パネルを斜めから見ても良好な視認性を得ることができる。
【００２９】
また、本発明による反射型表示装置の製造方法は、基板上に供給された樹脂を、未硬化あるいは軟化させた状態で、反射面の反転パターンを有するスタンパと基板との間に挟み込んで押圧し、前記スタンパの反転パターンを該樹脂に転写させることを特徴としている。このような方法としては、未硬化の樹脂を基板上に塗布してスタンパと基板の間に挟み込む方法と、スピンコートにより樹脂を基板上に塗布した後、いったんこれを硬化させておき、再加熱により樹脂を柔らかくしてスタンパと基板との間に挟み込む方法とがある。このような方法によれば、スタンパを用いた型押しによって、所定の反射面を効率よく量産することができる。特に、後者の方法では、転写時間を短くできるので、より量産に適している。
【００３０】
また、本発明による別な反射型表示装置の製造方法は、基板上に紫外線硬化型樹脂を供給し、反射面の反転パターンを有するスタンパと基板との間に該紫外線硬化型樹脂を挟み込んだ状態で該紫外線硬化樹脂に紫外線を照射して硬化させ、前記スタンパの反転パターンを該紫外線硬化型樹脂に転写させている。このような方法によれば、スタンパを用いた型押しによって、所定の反射面を効率よく量産することができる。しかも、紫外線硬化樹脂を用いることによって成形後の養生時間が必要なくなるので、より効率よく反射面を成形することができる。
【００３１】
また、本発明の反射型表示装置は、携帯用の機器例えば携帯電話、携帯用情報端末、携帯用コンピュータ（ノートパソコンなど）、テレビなどに用いれば、電力消費が少なく、画面のコントラストの高い表示部として用いることができる。
【００３２】
なお、この発明の以上説明した構成要素は、可能な限り組み合わせることができる。
【００３３】
【発明の実施の形態】
（第１の実施形態）
図４は本発明の一実施形態による反射型表示装置２１の構造を示す断面図である。この反射型表示装置２１は、反射型表示パネル２２の前面に光学用透明樹脂からなる接着層２４を介して前方照明装置２３を接着したものである。反射型表示パネル２２は、前面に反射面２６を形成された基板２５とガラス基板のような透明基板２７とを対向させ、両基板２５、２７の間に液晶材料のような機能材料２８を封止したものである。反射型表示パネル２２は、例えば従来例で説明した液晶表示パネルであるが、液晶表示パネルに限るものではない。
【００３４】
前方照明装置２３は、導光板２９と光源部３０とからなる。導光板２９は、メタクリル樹脂やポリカーボネイト樹脂等の透明で屈折率の高い材料によって成形されており、図５に示すように、一方の辺で厚みが薄く、他方の辺で厚みの厚いくさび状に成形されている。また、導光板２９の前面及び背面は、いずれもパターンの無い平滑な面となっている。光源部３０は、導光板２９の厚みの厚い側面に沿って当該側面と対向するように配設されており、例えば冷陰極管のような長尺物の光源（線状光源）３１と光を反射させるためのセード３２からなっている。
【００３５】
前方照明装置２３は、背面が反射型表示パネル２２と平行となるようにして、導光板２９よりも屈折率が小さく、かつ空気よりも屈折率が大きい接着層２４により反射型表示パネル２２の前面に光学的に接着されている。
【００３６】
しかして、この前方照明装置２３にあっては、光源部３０から出射された光は、導光板２９の端面から導光板２９内に入り、導光板２９の前面及び背面で全反射を繰り返しながら厚みの厚い側から厚みの薄い側へ向けて伝播する。導光板２９は光源部３０の設けられている側で厚みが大きくなっているので、導光板２９の前面及び背面で全反射する都度、その前面及び背面に対する入射角は小さくなる。すなわち、図６に示すように、導光板２９の先端の角度をφとすれば、導光板２９の背面で全反射して再度導光板２９の背面に入射する都度、光の入射角は２φづつ小さくなっていく。そして、全反射して再度導光板２９の背面に入射する入射角が導光板２９の背面における全反射の臨界角よりも小さくなると、光は導光板２９の背面から斜め方向（例えば４５°以上の出射角度をなす方向）へ出射される。
【００３７】
また、接着層２４の屈折率は、導光板２９の屈折率よりも小さく、空気の屈折率よりも大きいので、導光板２９の背面における全反射の臨界角は導光板２９の前面における全反射の臨界角よりも大きく、導光板２９内を伝播する光は、導光板２９の前面よりも先に背面で入射角が全反射の臨界角以下になる。そのため、導光板２９内を伝播する光のほとんどは、導光板２９の背面から出射される。さらに、導光板２９と接着層２４の界面や反射型表示パネル２２と接着層２４の界面で反射された光も、図７に示すように、導光板２９の前面で全反射された後、導光板２９の背面から出射される。従って、このような前方照明装置２３によれば、前方照明装置２３の光のほとんど全部が反射型表示パネル２２へ出射され、従来のように反射型表示パネル２２に入射する前に前方へ反射されて無効な光となりにくく、反射型表示装置２１の画面コントラストを高くすることができる。また、前方照明装置２３の光のロスが少なくなる。さらに、導光板２９の前面から漏れる光（無効な光）があったとしても、非常にわずかであるうえ、表示用の光とは異なる方向へ出射されるので、画面コントラストを低下させることがない。
【００３８】
図８は反射型表示パネル２２の内部に設けられている反射面２６の形状を示す斜視図である。反射面２６は、アルミニウムや銀等の反射率の高い材料によって形成されており、外光を反射させるための微小な多数の第１のパターン３３と前方照明装置２３の照明光を反射させるための微小な多数の第２のパターン３４とからなっている。なお、図８では、第１のパターン３３と第２のパターン３４をまばらに描いているが、実際には光利用効率を向上させるため第１のパターン３３と第２のパターン３４とは隙間無く配置されている。
【００３９】
第１のパターン３３は、図９に示すように略球面状に形成されており、反射面２６に垂直に入射した光を広がりを持たせて反射面２６に垂直な元の方向へ反射させるような形状となっている。
【００４０】
また、第２のパターン３４は、図１０に示すように上面が傾斜面３５となったポスト状をしており、傾斜面３５はほぼ光源部３０の方向に向けて傾いている。詳しくいうと、前方照明装置２３から出射される光は、導光板２９の背面に対して斜め方向に出射されるが、この前方照明装置２３から斜め方向に出射された光が傾斜面３５で反射された時、反射光が反射型表示装置２１のほぼ垂直前方へ出射されるように傾斜面３５の角度を決めている。なお、第２のパターン３４の傾斜面の下の部分は、円柱状、円錐台状、角柱状など任意の形状が許される。
【００４１】
しかして、図１１に示すように、前方のほぼ垂直な方向から外光が入射すると、第１のパターン３３に入射した光はほぼ垂直に反射されると共に±α（±３０°以内）の広がりを持って前方へ出射される。一方、第２のパターン３４で反射された外光は斜め方向へ反射され、前方へ出射されないので、これによって反射型表示装置２１の画面コントラストを低下させることはない。観察者は、反射型表示装置２１を斜めから見ると見にくいので、光を±３０°以内に出射させることが望ましい。そのため第１のパターン３３で反射された光に広がりを持たせ、反射型表示装置２１からの出射光に±αの広がりを持たせている。
【００４２】
また、図１２に示すように、前方照明装置２３の背面から斜め方向へ出射された光が反射型表示パネル２２内に入射すると、その光のうち第２のパターン３４の傾斜面３５で正反射された光は、反射型表示装置２１の前方へほぼ垂直に出射される。このとき前方へ出射される光も±α程度の広がりを持たせられる。この広がりは、第２のパターン３４によるものでなく、反射型表示パネル２２の背面から出射された光の広がりによるものである。すなわち、出射光の広がりを±３０°以内にするには、導光板２９から斜め方向に出射される光の広がりも±３０°以内にしておく必要がある。反射型表示パネル２２の背面から出射される光の方向及び広がりは、導光板２９の先端の角度φと導光板２９及び接着層２４の屈折率によって決まる。
【００４３】
図１３（ａ）（ｂ）は導光板２９の背面に入射する光の挙動を示す図であって、図１３（ａ）は導光板２９と接着層２４の屈折率の差Δｎが比較的小さい場合を示しており、図１３（ｂ）は導光板２９と接着層２４の屈折率の差Δｎが比較的大きい場合を示している。この図に示されているように、導光板２９の背面における全反射の臨界角をθ２とするとき、導光板２９の背面には、入射角がθ２−２φよりも大きな光が入射する。これは導光板２９の背面で前回全反射した光は出射角がθ２以上の光であり、この光が導光板２９の前面で全反射することによって入射角が２φだけ小さくなるので、導光板２９の背面にはθ２−２φよりも大きな入射角の光が入射する。その光のうち全反射の臨界角θ２よりも入射角の小さな光だけが背面から出射されるので、導光板２９の背面から出射される光は、入射角がθ２−２φ以上θ２以下の光である。このうち全反射の臨界角θ２で入射した光は、導光板２９の背面とほぼ平行に出射される。また、θ２−２φの入射角の光が導光板２９の底面に対して２γの方向へ出射されるとすると、導光板２９の底面から出射される光の広がり角はほぼ±γとなる。全反射の臨界角θ２は導光板２９と接着層２４の屈折率の差Δｎが大きいほど小さくなるので、図１３（ａ）のように屈折率の差Δｎが小さい場合には出射する光の広がり角±γは狭くなり、図１３（ｂ）のように屈折率ｎが大きい場合には出射する光の広がり角±γは広くなる。導光板２９の底面から出る光の出射角βは、β−２γで表されるから、出射角βが大きくなるほど光の広がり角±γは小さくなり、一般に、出射光の広がり角を±３０°以内にしておくためには、出射角βは４５°以上にすることが望ましい。
【００４４】
また、反射型表示パネル２２の背面から斜めに出射された光の一部は、第１のパターン３３で反射され、そのうちの一部は前方へ出射されるが、その割合はわずかであるから、コントラストを低下させるおそれはない。なお、導光板２９の背面から斜めに出射される光の指向性が高い場合には、第２のパターン３４の傾斜面３５を曲面にして出射光の広がりを大きくする場合もある。
【００４５】
従って、外光による場合も前方照明装置２３を用いた場合も、表示用の光は同じ方向（ほぼ前方へ）へ出射され、また同程度の広がり（±α）を有しているので、外光による場合も前方照明装置２３を用いる場合も同等の視認性を得ることができ、違和感がない。しかも、前記のように無効な光によってコントラストを低下させにくいので、良好な視認性を得ることができる。また、この反射型表示装置２１では、導光板２９の前面にも背面にもパターンが存在しないので、従来例のように出射光が前方照明装置２３で拡散して前方照明装置２３の透明性が悪くなることもない。
【００４６】
次に、第１のパターン３３と第２のパターン３４との関係について説明する。前記のように第２のパターン３４は外光にとっては無効な光の原因となる。従って、外光を利用する場合には、第２のパターン３４はできるだけ少ないことが望ましい。そのため、第２のパターン３４の個数（密度）は第１のパターン３３の個数（密度）よりも少なくしている。例えば、図１４では、第１のパターン３３を９０％、第２のパターン３４を１０％の割合で設けている。
【００４７】
図１４のように、第２のパターン３４の割合が１０％の場合を考えると、第２のパターン３４で反射されることによってロスとなる外光は約１０％であって、反射型表示装置２１の画面は、完全反射型液晶表示装置と比較してもわずかに暗くなるに過ぎない。また、前方照明装置２３の光を前方へ反射する第２のパターン３４が１０％しか無くても、前方照明装置２３の光は斜めに出射されているので、図１４に示すように、実際には前方照明装置２３の光の２０〜３０％（前方照明装置２３の光の角度と第２のパターン３４の密度によっては、１００％にすることも可能である。）を前方へ反射させることができる。外光と前方照明装置２３との明るさと指向性（広がり）を考慮すれば、前方照明装置２３の光の２０〜３０％の光が前方に反射されれば実用には十分である。
【００４８】
なお、第１のパターン３３と第２のパターン３４の割合は、上記のような９：１といった割合に限るものではなく、前方照明装置２３の明るさや使用環境等によって適宜変更されるものである。また、図１５に破線で示すような三角波状などをした凹凸パターンを形成する場合、その形成法によっては、頂点や谷部の角度をを必ずしも鋭角にすることができず、図１５に実線で示すように、これらの箇所がなだらかな面となってしまうことがある。これを利用して傾斜面を第２のパターン３４として用い、なだらかになった頂点及び谷部を第１のパターン３３として利用することができる。従って、凹凸パターンとして、上面が傾斜面となった第２のパターン３４のみを設けても、実際には、第１のパターン３３と第２のパターン３４の働きをさせることができ、第２のパターンのみの構成でも実用的には十分である。
【００４９】
また、第１のパターン３３と第２のパターン３４は、光の干渉による色つきを防ぐため、ランダムに配置されている。
【００５０】
（反射面の作成方法）
次に、いわゆる２Ｐ（Photo-Polymerization）法により基板２５の表面に反射面２６を作製する方法を図１６及び図１７により簡潔に説明する。この方法では、スタンパと呼ばれる反射面２６の金型を作製し、このスタンパで反射面を大量に複製する。
【００５１】
まず、スタンパの作製方法から説明する。基板３６を用意し、その上に電子ビームレジスト３７を塗布する［図１６（ａ）］。ついで、電子ビーム露光によりパターン化された電子ビームレジスト３７を軟化させて所定の反射面の形状にし、原盤３８を作製する［図１６（ｂ）］。次に、電鋳法によりニッケル等のスタンパ材料を原盤３８の上に堆積させ、ニッケルスタンパ３９を作製する［図１６（ｃ）］。この後、スタンパ３９と原盤３８を分離し、スタンパ３９を得る［図１６（ｄ）］。このスタンパ３９は、反射面のパターンが反転した形状のパターンを有しており、反射面２６を複製するための金型となる。
【００５２】
つぎに、スタンパ３９を用いて２Ｐ法により反射面を複製するプロセスを説明する。透明な基板２５を用意し、基板２５の上に紫外線感光性樹脂（いわゆる、ＵＶ硬化樹脂）４０を滴下し、上からスタンパ３９を硬化させる［図１７（ａ）］。次に、基板２５の上の紫外線感光性樹脂４０をスタンパ３９と基板２５との間に挟み込んで押圧し、紫外線感光性樹脂４０を基板２５とスタンパ３９の間に押し広げ、基板２５の下方から紫外線を照射する［図１７（ｂ）］。このとき基板２５を透過した紫外線によって、紫外線感光性樹脂４０が硬化する。硬化後、紫外線感光性樹脂４０と共に基板２５をスタンパ３９から剥離する［図１７（ｃ）］。この剥離した紫外線感光性樹脂４０には、反射面２６のパターンが転写されている。ついで、スパッタ法などを用いて紫外線感光性樹脂４０の表面をアルミニウムや銀などの被膜４１で覆って反射面２６を形成する［図１７（ｄ）］。この方法によれば、反射面２６を量産することができる。
【００５３】
図１８は、反射面２６の別な作製方法を示している。これはエンボス法で反射面２６を作製するプロセスを示している。この方法では、基板２５（透明でなくてもよい。）の上に樹脂（例えば、アクリル樹脂）４２をスピンコートでほぼ均一に塗布する［図１８（ａ）］。ついで、樹脂４２をいったん硬化させた後、再加熱によって樹脂を柔らかくした後、上からスタンパ３９で樹脂４２を押圧し、基板２５とスタンパ３９の間に樹脂４２を挟み込んで樹脂４２にスタンパ３９のパターンを転写させる［図１８（ｂ）］。加熱もしくは放置により樹脂４２が硬化したら、樹脂４２からスタンパ３９を剥がすと、硬化した樹脂４２の表面にはスタンパ３９によって反射面２６のパターンが転写されている［図１８（ｃ）］。ついで、スパッタ法を用いて樹脂４２の表面をアルミニウム又は銀の被膜４３で覆って反射面２６を形成する［図１８（ｄ）］。この方法によっても、反射面２６を量産することができる。
【００５４】
（反射面の変形例）
次に、上記実施形態の変形例について述べる。図１９は反射面２６のパターンの変形例を表しており、第１のパターン３３及び第２のパターン３４がいずれも反射型表示パネル２２の前面と平行な平面（以下、平行平面と呼ぶ。）を持たないようにしたものである。すなわち、図９に示した第１のパターン３３では、反射型表示パネル２２の前面と平行な接平面を有する。これに対して、図１９（ａ）に示す第１のパターン３３では、全体としてはほぼ球面状をしているが、先端が尖っているので、反射型表示パネル２２の前面と平行な接平面（平行平面）を有しない。また、図１０に示した第２のパターン３４でも、もともと反射型表示パネル２２の前面と平行な平面を持たないので、図１９（ｂ）に示した第２のパターン３４は、図１０に示した第２のパターン３４と同じものである。
【００５５】
前方照明装置２３の前面は傾いているが、その傾きは小さく設定される場合がある。また、反射型表示装置２１の前面を保護するため、前方照明装置２３の前方にガラスやプラスチックなどの透明板を置くことがある。このような場合、前方から垂直に入射した外光が前方照明装置２３の前面や透明板で反射すると、垂直前方へ向けて反射される。一方、第１のパターン３３が平行平面を有していると、前方から垂直に入射した外光が、第１のパターン３３の平行平面で反射し、その外光は前方へ向けて反射される。この結果、第１のパターン３３の平行平面で反射した外光と透明板で反射した外光とは反射方向が一致し、画面のコントラストを低下させるので、真正面では視認性が低下する。また、正反射方向から反射型表示装置２１を見ると、眩しくて不快である。また、図１０に示した第２のパターン３４で、反射面（傾斜面３５）以外を構成する面は、必ずしも前記反射型表示装置表面に対し、垂直である必要はない。
【００５６】
このため、通常、観察者は正反射方向では反射型表示装置２１を見ないので、正反射方向に出射する光は無駄となっている。そこで、この変形例のように平行平面を無くして、真正面へ光を出射させないようにすれば、その分視認する角度に出射される光の量を増加させることができ、画面をより明るくすることができる。
【００５７】
また、凹凸パターンの平均傾斜面（第１のパターン３３及び第２のパターン３４のトータルの平均傾斜面）に立てた法線を反射面２６の前方の特定の領域に向けておけば、入射後に反射面２６で反射された外光および前方照明装置２３から入射して反射面２６で反射された光の各反射光輝度中心軸を反射型表示パネル２２前方の特定位置に集束させ、当該特定位置において観察される画像を明るくすることができる。例えば、図２０に示すように、反射面２６上の任意の点Ｐを特定位置とし、点Ｐを通る反射面２６の法線５８上で、反射面２６から距離Ｌだけ離れた点を観察者視点Ｏとし、反射面２６上で点Ｐから距離ｄだけ離れた点をＰａとする。ここで、任意の点Ｐａにおいて平均傾斜面５６に立てた法線５７の傾きが、反射面２６に立てた法線５８から点Ｐ（又は、観察者視点Ｏ）側へ、
θ＝（１／２）arctan（ｄ／Ｌ）      …（２）
だけ傾くように各点Ｐａにおける平均傾斜面を設計しておけば、図２０に示すように、正面から入射して反射面２６により反射された光の輝度中心軸を観察者視点Ｏに集束させることができ、観察者視点Ｏにおいて明るい画像を得ることができる。
【００５８】
また、図２１に示すように、観察者の視点Ｏが反射面２６上の点Ｐを通る法線５８上にない場合、平均傾斜面５６の傾斜角度θは、観察者視点Ｏから反射面２６に降ろした垂線５９と反射面２６との交点をＰｂとし、反射面２６上の任意の点Ｐａとの距離をｇとすると、点Ｐａで平均傾斜面５６に立てた法線５７の傾きθが、
θ＝（１／２）arctan（ｇ／Ｌ）      …（３）
となるようにすることにより、視点Ｏへ集束できる平均傾斜面５６の法線５７の傾き角度θを決めることができる。なお、特定位置Ｐは、１点には限らず、複数の点であっても差し支えない。
【００５９】
また、第１のパターン３３と第２のパターン３４の形状に互いに異なる変調を施し、反射面２６上の同一点において第１のパターン３３の平均傾斜面に立てた法線の角度と第２のパターン３４の平均傾斜面に立てた法線の角度を異ならせ、互いに異なる方向から入射する外光と前方照明装置２３からの光を同一方向に反射させると共に、外光と前方照明装置２３からの光についてそれぞれ反射光の輝度中心軸が特定位置に集光するようにし、両方の反射光の輝度中心軸が特定位置に集光するようにもできる。
【００６０】
また、反射面２６の平均傾斜面は一様な面によるものとは限らず、図２２に示すように、同じ高さでピッチが異なる変調パターンとしてもよく、図２３に示すように、同じピッチで高さが異なる変調パターンとしてもよく、また図２２、図２３に示した変調パターンを組み合わせて図２４に示す反射面２６のように凹凸パターンの傾斜角度を変調する構成でもよい。
【００６１】
また、図示しないが、反射面の凹凸パターンは、反射面上にランダムに配置してもよく、それによって反射型表示パネルの画素パターンによるモアレ縞などの画像劣化を防止することができる。ただし、各凹凸パターンの平均傾斜面の法線の傾斜角度θは、凹凸パターンの位置により、上記（２）式などによって決められるものとする。また、平均傾斜面を傾けることで生じる図２２〜２４中の鉛直な面は、必ずしも鉛直でなくてもよい。
【００６２】
また、図２５に示すように、第１のパターン３３を非対称形状とすることによって斜め入射する外光の反射方向を調整し、かつ第２のパターン３４の傾斜面の角度を最適化することによって前方照明装置２３からの入射光を反射する方向を調整すれば、任意の方向から入射する外光と前方照明装置２３からの入射光を反射型表示パネル表面における外光の正反射方向と異なる方向へ揃えて反射させることができ、正反射光により画像が見えなくなることを防止できる。
【００６３】
（前方照明装置の変形例）
図２６は前方照明装置２３の変形例を示している。上記の前方照明装置２３では、光源部３０として線状光源を導光板２９の一辺に対向させて配置したが、この前方照明装置２３では、ＬＥＤ等の発光素子４４を用いた光源部３０（いわゆる、点光源）を導光板２９の角に配置している。また、光源部３０を導光板２９の角に配置したことに伴って、導光板２９は、光源部３０と対応する角で厚みが最も厚く、光源部３０の配置された角に対して対角方向に位置する角で厚みが最も薄くなるようにくさび状に形成されている。
【００６４】
また、図示しないが、点光源状の光源部３０を導光板２９の一辺の中央部に配置しても差し支えない。
【００６５】
また、前方照明装置２３の導光板２９は、光源部３０から遠ざかるに連れて薄くなるようにテーパーが付与されていれば、上記のように背面側からの出射光を斜めにして画面コントラストの低下を防止できるので、図２７に示すように、くさび状をした導光板２９の厚みの薄い側の端部が厚みを有していてもよい。このような形状にすれば、導光板２９の先端部における光のロスが発生するが、先端部の強度が増すので、生産性が向上する。
【００６６】
また、図２８に示すように、導光板２９の表面を曲面によって形成してもよい。導光板２９の表面を適当な曲面にすることにより、面内の輝度むらを無くすことができる。図２８では、導光板２９の表面を凹面によって形成しているが、凸面になっていてもよいし、凹面及び凸面を組み合わせた曲面によって形成されていてもよい。また、図示しないが、前記曲面は、球面、楕円面、円錐面、あるいは２次関数や対数関数の曲線を回転することで得られる面もしくはその一部でもよい。
【００６７】
また、図２９に示すように、導光板２９の背面に鋸歯形状のパターン４５を設けたものであってもよい。このような導光板２９であっても、背面から出射される光の出射方向を斜めにして画面のコントラストを良好にすることができる。また、導光板２９の背面にパターン４５を設けているので、反射面２６で反射した光は、勾配の急な領域４６で拡散されるが、図３０に示すように、導光板２９の背面は接着層２４に接しているので、空気層と接している場合よりも背面における屈折率差が小さく、勾配の急な領域４６でも光は大きく曲がらず、その拡散性は大幅に低下する。よって、導光板２９と接着層２４の屈折率差を小さく設定すれば、パターンを導光板２９の前面に設けた場合と比較して反射型表示装置２１の透明性はほとんど低下しない。
【００６８】
また、図３１（ａ）（ｂ）はさらに別な構造の前方照明装置２３を示す斜視図及び平面図である。この前方照明装置２３は、点状光源を線状光源に変換した光源部３０を用いている。すなわち、くさび状をした透明な導光体４７の端面にＬＥＤ等の発光素子４８（点光源）を対向させ、発光素子４８の周囲をセード４９で覆うと共に導光体４７の背面に反射シート５０を設けている。また、光源部３０と対向する、導光板２９の辺には、プリズム状をした導光方向変換パターン５１を形成している。
【００６９】
しかして、この前方照明装置２３においては、図３１（ｂ）に示すように、発光素子４８から出射された光は、導光体４７の端面から導光体４７内に導入され、導光体４７の表面と裏面の間で全反射しながら導光体４７内を伝播する。導光体４７内を伝播する光のうち導光体４７の表面に全反射の臨界角よりも小さい角度で入射した光は、導光体４７の表面から斜めに出射される。なお、導光体４７の裏面から出射した光は、反射シート５０で反射されて再び導光体４７の内部に戻る。こうして、発光素子４８から出射された光は、導光体４７の表面から全長にわたって斜めに出射される。光源部３０から斜めに出射された光は、導光方向変換パターン５１から導光板２９の内部に入射し、その際導光方向変換パターン５１で光の進行方向が屈折され、導光板２９の内部では光は導光板２９の辺と平行に導光される。
【００７０】
（第２の実施形態）
第１の実施形態のように導光板２９の背面全体を接着層２４によって反射型表示パネル２２に接着する場合には、接着層２４の屈折率が空気の屈折率に比べて大きいので、導光板２９の背面における全反射の臨界角が大きくなり、光源部３０の近傍で光が必要以上に出射する恐れがある。すなわち、導光板２９と空気の界面における全反射の臨界角をθ１、導光板２９と接着層２４の界面における全反射の臨界角をθ２（＞θ１）とするとき、図３２（ａ）に示すように、導光板２９の側面から導光板２９内に入射した光の広がりは±θ１となる。そして、導光板２９に入射した光は、９０°−θ１よりも大きな入射角で導光板２９の背面に入射する。従って、次の（１）式を満たすときに光の漏れが生じる。
θ２＞９０°−θ１
すなわち、  θ１＋θ２＞９０°      …（１）
【００７１】
よって、（１）式を満たす場合には、光源部３０の近傍で光の漏れが生じる。すなわち、図３２（ｂ）のハッチング領域の光が漏れてロスとなる。このような場合には、光源部３０の光のロスが大きくなるとともに光源部３０の近傍で導光板２９が明るく光る。
【００７２】
図３３（ａ）は本発明の別な実施形態による反射型表示装置６１を示す概略断面図であって、光源部３０の近傍における光の漏れを小さくしている。この反射型表示装置６１では、導光板２９の光源部３０に隣接する領域６２を接着層２４よりも外側に配置して空気層と接するようにし、全反射の臨界角θ２を大きくし、光の漏れを小さくしている。さらに、光源部３０に隣接する領域６２においては、光源部３０から離れるに従って導光板２９の厚みが次第に厚くなるようにテーパーを施しているので、図３３（ｂ）のように点Ｐ２では接着層２４との界面における全反射の臨界角よりも外に広がっていた光の分布が、領域６２で導光した後は、図３３（ｃ）のように点Ｐ３では接着層２４との界面における全反射の臨界角よりも狭い範囲に集められる。従って、この光が接着層２４との界面に達しても接着層２４との界面から漏れず、この後、先でくさび状に薄くなっている領域で全反射を繰り返すことによって少しづつ接着層２４との界面から出射される。
【００７３】
（第３の実施形態）
図３４は本発明のさらに別な実施形態による反射型表示装置７１を示す概略断面図である。この反射型表示装置７１では、前方照明装置２３の背面を反射型表示パネル２２に接着しておらず、前方照明装置２３の背面と反射型表示パネル２２との間には空気層７２が介在している。このような反射型表示装置７１では、第１の実施形態に比較して光の利用効率が下がる恐れがあるが、前方照明装置２３の背面から斜めに光を出射させることができるので、第１の実施形態と同様な作用効果を得ることができ、画面コントラストを高くすることができる。また、パターンのない導光板２９を用いれば、光の拡散もないので、前方照明装置２３の透明性も良好になる。さらに、接着層が必要ないので、コストを下げることができ、さらに熱による接着剤の変質や剥離などの問題も無くなるので、信頼性を上げることができる。
【００７４】
なお、図２９のような裏面にパターンを有する導光板２９を用いた場合、接着層がないので、第１の実施形態で図２９のような導光板２９を用いた場合と比較すると、拡散が大きくなって透明性が低下する。しかし、接着層が存在しない場合であっても、パターンが裏面側にあるので、前面にパターンを形成された導光板を用いる場合に比べてパターンが見えにくく、透明性は改善される。
【００７５】
（第４の実施形態）
図３５は本発明のさらに別な実施形態による反射型表示装置８１を示す概略断面図である。この反射型表示装置８１では、導光板を用いておらず、光源部３０だけで構成されている。すなわち、光源（線状光源）３１から出射された光を、反射型表示パネル２２の全面に向けて斜めに出射させている。このとき、光源部３０からの光を反射型表示パネル２２に均一に照射させる必要があるので、光源３１の前面にプリズムシート８２を設置しておき、光源３１から出射された光をプリズムシート８２で斜め下方へ屈折させ、反射型表示パネル２２の全面に向けて斜めに出射させると共に、プリズムシート８２によって光源３１からの光の指向性を上げ、均一に照射させている。光源３１（前方照明装置２３）から斜めに出射された光は、反射型表示パネル２２に入射する際に屈曲して斜めに進入し、第２のパターン３４で反射されて前方へ出射される。また、前方から入射した外光は、第１のパターン３３で反射されて再び前方へ出射される。
【００７６】
このような反射型表示装置８１でも、反射型表示パネル２２へ斜めに光を入射させているので、反射型表示パネル２２の表面で反射された光（無効な光）はやはり斜めに反射されて前方へは出射されない。よって、この実施形態の反射型表示装置８１でも、反射光により画面のコントラストが低下することが無くなる。また、反射型表示パネル２２の前方に光学的なパターンが存在しないので、画面の透明性が低下することもない。
【００７７】
（反射型表示装置を用いた機器）
図３６は本発明の一実施形態による携帯電話９１であって、表示部９２、ダイアル９３、アンテナ９４等を備えている。この表示部９２として本発明の反射型表示装置が用いられており、それによってコントラストが高く、透明感の高い表示部を得ることができる。
【００７８】
図３７は本発明の一実施形態による携帯用情報端末９５であって、表示部９６、入力部９７、カバー９８等を備えている。この表示部９６として本発明の反射型表示装置が用いられており、それによってコントラストが高く、透明感の高い表示部を得ることができる。
【００７９】
図３８は本発明の一実施形態によるノートパソコン等の携帯用コンピュータ９９であって、表示部１００、キーボード１０１、フロッピーディスクドライ１０２等を備えている。この表示部１００として本発明の反射型表示装置が用いられており、それによってコントラストが高く、透明感の高い表示部を得ることができる。
【００８０】
図３９は本発明の一実施形態によるテレビ（受像機）１０３であって、表示部１０４、アンテナ１０５、選局部１０６等を備えている。この表示部１０４として本発明の反射型表示装置が用いられており、それによってコントラストが高く、透明感の高い表示部を得ることができる。
【００８１】
【発明の効果】
本発明の反射型表示装置によれば、反射面で反射された前方照明装置からの光と、反射面で反射された外光とがほぼ同一の反射方向へ出射されるようになっているので、前方照明装置を用いて画面を照らしている時と、前方照明装置を用いることなく外光によって画面を照らしている時とで、画面を見ることができる方向が変化せず、同様な使い勝手を維持することができる。しかも、この反射型表示装置にあっては、前方照明装置から反射型表示パネルへ入射する光は、反射型表示パネルに入射する外光とは異なる方向から反射型表示パネルに入射しているので、前方照明装置から出射された光が前方照明装置や反射型表示パネルの表面や内部で反射されて表示に寄与しない無効な光となっても、その無効な光は表示用の反射光と同じ方向には反射されない。よって、本発明の反射型表示装置によれば、前方照明装置の反射光により画面のコントラストが低下する現象を回避し、画面を見やすくすることができる。
【図面の簡単な説明】
【図１】従来の完全反射型液晶表示装置を示す概略断面図である。
【図２】同上の完全反射型液晶表示装置において画面のコントラストが低下する理由を説明する図である。
【図３】同上の完全反射型液晶表示装置において透明性が低下する理由を説明する図である。
【図４】本発明の第１の実施形態による反射型表示装置の構造を示す概略断面図である。
【図５】同上の反射型表示装置に用いられている前方照明装置の斜視図である。
【図６】同上の前方照明装置の導光板内を伝播する光の挙動を示す図である。
【図７】同上の前方照明装置の導光板内を伝播する光の別な挙動を示す図である。
【図８】反射面の構造を示す斜視図である。
【図９】同上の反射面を構成する第１のパターンの斜視図である。
【図１０】図８の反射面を構成する第２のパターンの斜視図である。
【図１１】図４の反射型表示装置に入射した外光の挙動を示す図である。
【図１２】図４の反射型表示装置において、光源部から出射された光の挙動を示す図である。
【図１３】（ａ）（ｂ）は導光板から出射される光の出射角と広がり角との関係を説明する図である。
【図１４】第１のパターンと第２のパターンの比率を説明する図である。
【図１５】頂点及び谷部が鈍った第２のパターンを示す概略図である。
【図１６】（ａ）（ｂ）（ｃ）（ｄ）は、反射面を複製するためのスタンパを作製する工程を示す図である。
【図１７】（ａ）（ｂ）（ｃ）（ｄ）は、同上のスタンパを用いて２Ｐ法により反射面を複製する工程を示す図である。
【図１８】（ａ）（ｂ）（ｃ）（ｄ）は、図１４のスタンパを用いてエンボス法により反射面を複製する工程を示す図である。
【図１９】（ａ）（ｂ）は第１のパターンと第２のパターンの別な形態を示す斜視図である。
【図２０】反射光輝度中心軸を特定領域に集中させるための反射面の平均傾斜角の設計方法を説明する図である。
【図２１】反射光輝度中心軸を特定領域に集中させるための反射面の平均傾斜角の設計方法を説明する図である。
【図２２】反射面の異なる凹凸パターンを説明する図である。
【図２３】反射面のさらに異なる凹凸パターンを説明する図である。
【図２４】反射面のさらに異なる凹凸パターンを説明する図である。
【図２５】パターン変調した凹凸パターンを説明するための反射型表示装置の構造を示す概略断面図である。
【図２６】前方照明装置の別な形態を示す斜視図である。
【図２７】前方照明装置のさらに別な形態を示す側面図である。
【図２８】前方照明装置のさらに別な形態を示す側面図である。
【図２９】前方照明装置のさらに別な形態を示す側面図である。
【図３０】図２９の前方照明装置の作用説明図である。
【図３１】（ａ）（ｂ）は前方照明装置のさらに別な形態を示す斜視図及び平面図である。
【図３２】（ａ）は光源部の近傍における光の漏れを説明する図である。（ｂ）は点Ｐ１における導光角度分布を示す図である。
【図３３】（ａ）は  本発明の第２の実施形態による反射型表示装置の構造を示す概略断面図である。（ｂ）（ｃ）は点Ｐ２及びＰ３における導光角度分布を示す図である。
【図３４】本発明の第３の実施形態による反射型表示装置の構造を示す概略断面図である。
【図３５】本発明の第４の実施形態による反射型表示装置の構造を示す概略断面図である。
【図３６】本発明の反射型表示装置を用いた携帯電話を示す斜視図である。
【図３７】本発明の反射型表示装置を用いた携帯用情報端末を示す斜視図である。
【図３８】本発明の反射型表示装置を用いた携帯用コンピュータを示す斜視図である。
【図３９】本発明の反射型表示装置を用いたテレビを示す斜視図である。
【符号の説明】
２１      反射型表示装置
２２      反射型表示パネル
２３      前方照明装置
２４      接着層
２６      反射面
２９      導光板
３０      光源部
３３      第１のパターン
３４      第２のパターン
３５      傾斜面
５１      導光方向変換パターン
８２      プリズムシート
９１      携帯電話
９５      携帯用情報端末
９９      携帯用コンピュータ
１０３    テレビ
【図１】
0003649145.tif 000002
【図２】
0003649145.tif 000003
【図３】
0003649145.tif 000004
【図４】
0003649145.tif 000005
【図５】
0003649145.tif 000006
【図６】
0003649145.tif 000007
【図７】
0003649145.tif 000008
【図８】
0003649145.tif 000009
【図９】
0003649145.tif 000010
【図１０】
0003649145.tif 000011
【図１１】
0003649145.tif 000012
【図１２】
0003649145.tif 000013
【図１３】
0003649145.tif 000014
【図１４】
0003649145.tif 000015
【図１５】
0003649145.tif 000016
【図１６】
0003649145.tif 000017
【図１７】
0003649145.tif 000018
【図１８】
0003649145.tif 000019
【図１９】
0003649145.tif 000020
【図２０】
0003649145.tif 000021
【図２１】
0003649145.tif 000022
【図２２】
0003649145.tif 000023
【図２３】
0003649145.tif 000024
【図２４】
0003649145.tif 000025
【図２５】
0003649145.tif 000026
【図２６】
0003649145.tif 000027
【図２７】
0003649145.tif 000028
【図２８】
0003649145.tif 000029
【図２９】
0003649145.tif 000030
【図３０】
0003649145.tif 000031
【図３１】
0003649145.tif 000032
【図３２】
0003649145.tif 000033
【図３３】
0003649145.tif 000034
【図３４】
0003649145.tif 000035
【図３５】
0003649145.tif 000036
【図３６】
0003649145.tif 000037
【図３７】
0003649145.tif 000038
【図３８】
0003649145.tif 000039
【図３９】
0003649145.tif 000040